(57)【特許請求の範囲】
【請求項１】
マイクロコンピュータ、空調制御手段および制御信号送信・受信手段が実装された制御基板をそれぞれ有し、空調制御時は、前記制御信号送信・受信手段同士を室内・室外シリアル通信制御線によって接続することにより双方向通信を行なう室内機の制御装置および室外機の制御装置と、
前記制御基板の検査時には、前記室内・室外シリアル通信制御線によって前記室内機の制御装置および室外機の制御装置のうちの何れかの制御信号送信・受信手段に接続され、前記室内・室外シリアル通信制御線を介して前記マイクロコンピュータの制御モードを切換える検査モード切換コマンドと前記マイクロコンピュータに前記制御基板を検査させるための基板検査コマンドとを出力する検査機と、を備え、
前記マイクロコンピュータは、受信したコマンドが前記検査モード切換コマンドであるか否かを判別し、検査モード切換コマンドであれば、前記マイクロコンピュータを検査モードとし、前記基板検査コマンドを受信することにより、前記マイクロコンピュータに前記制御基板の検査動作をさせ、該検査動作後に前記制御基板の検査結果を前記検査機へ送信する基板検査手段を備える
ことを特徴とするセパレート型空気調和機の制御装置の制御基板検査システム。
【請求項２】
マイクロコンピュータ、該マイクロコンピュータを空調制御モードから検査モードに切換えるモード切換手段、空調制御手段および制御信号送信・受信手段が実装された制御基板をそれぞれ有し、空調制御時は、前記制御信号送信・受信手段同士を室内・室外シリアル通信制御線によって接続することにより双方向通信を行なう室内機の制御装置および室外機の制御装置と、
前記制御基板の検査時には、前記室内・室外シリアル通信制御線によって前記室内機の制御装置および室外機の制御装置のうちの何れかの制御信号送信・受信手段に接続され、前記室内・室外シリアル通信制御線を介して前記マイクロコンピュータに前記制御基板を検査させるための基板検査コマンドを出力する検査機と、を備え、
前記マイクロコンピュータは、前記モード切換手段からの信号によって前記マイクロコンピュータを検査モードとし、前記基板検査コマンドを受信することにより、前記マイクロコンピュータに前記制御基板の検査動作をさせ、該検査動作後に前記制御基板の検査結果を前記検査機へ送信する基板検査手段を備える
ことを特徴とするセパレート型空気調和機の制御装置の制御基板検査システム。
【請求項３】
前記モード切換手段が、前記制御信号送信・受信手段に前記検査機が接続されることによってオン・オフ動作する検査モード切換スイッチであることを特徴とする請求項２に記載のセパレート型空気調和機の制御装置の制御基板検査システム。
【請求項４】
前記モード切換手段が、前記マイクロコンピュータを空調制御モードから検査モードに切換えるワイヤレスリモコン信号を受信するワイヤレスリモコン信号受信手段であることを特徴とする請求項２に記載のセパレート型空気調和機の制御装置の制御基板検査システム。
【請求項５】
前記検査モードでは、入力データとデータ入力回路の検査を行うことを特徴とする請求項１〜４の何れかに記載のセパレート型空気調和機の制御装置の制御基板検査システム。
【請求項６】
前記検査モードでは、出力コマンドとコマンド出力回路の検査を行うことを特徴とする請求項１〜４の何れかに記載のセパレート型空気調和機の制御装置の制御基板検査システム。
【請求項７】
前記検査モードでは、入力データおよびデータ入力回路の検査と出力コマンドおよびコマンド出力回路の検査とを同時に行うことを特徴とする請求項１〜４の何れかに記載のセパレート型空気調和機の制御装置の制御基板検査システム。
【請求項８】
不揮発性メモリを有し、前記検査モードでは、前記不揮発性メモリに書き込まれているデータを読み出して書き込みデータの検査を行うことを特徴とする請求項１〜４の何れかに記載のセパレート型空気調和機の制御装置の制御基板検査システム。
【請求項９】
検査結果を前記制御信号送信・受信手段に接続された検査機に送信すると共に、前記マイクロコンピュータのポートに出力することを特徴とする請求項１〜８の何れかに記載のセパレート型空気調和機の制御装置の制御基板検査システム。
【請求項１０】
前記制御信号受信手段が検査モード解除への変更信号を受信することにより検査モードを解除することを特徴とする請求項１に記載のセパレート型空気調和機の制御装置の制御基板検査システム。
【請求項１１】
前記検査モード切換スイッチが検査モードを設定するオン・オフ状態よりそのオン・オフ状態を反転することにより検査モードを解除することを特徴とする請求項３に記載のセパレート型空気調和機の制御装置の制御基板検査システム。
【請求項１２】
ワイヤレスリモコン信号受信手段が検査モード解除への変更信号を受信することにより検査モードを解除することを特徴とする請求項４に記載のセパレート型空気調和機の制御装置の制御基板検査システム。
【発明の詳細な説明】
【０００１】
【発明の属する技術分野】
この発明は、セパレート型空気調和機の制御装置の制御基板検査システムに関し、特にシリアル通信制御線によって双方向に通信可能に接続される室内機、室外機に設けられる制御装置の制御基板検査システムに関するものである。
【０００２】
【従来の技術】
図１９は従来のセパレート型空気調和機の構成を示している。図１９において、１００は室内機の制御装置を、２００は室外機の制御装置を示している。室内機の制御装置１００と室外機の制御装置２００は、各々、マイクロコンピュータ１０１、２０１と、空調制御手段１０２、２０２と、制御信号受信手段１０３、２０３と、コマンド解析手段１０４、２０４と、制御信号送信手段１０５、２０５とを具備し、室内・室外シリアル通信制御線３００によって双方向に通信可能に接続されている。
【０００３】
また室内機、室外機の制御装置１００、２００には、これらが内蔵している制御基板の検査のために、検査専用信号受信手段１０６、２０６と、検査専用信号送信手段１０７、２０７とが設けられており、基板検査時には検査専用信号受信手段１０６、２０６、検査専用信号送信手段１０７、２０７に繋がれた検査専用制御線３０１、３０２によって検査機４００を双方向に通信可能に接続される。
【０００４】
このセパレート型空気調和機は、通常動作として、室内機または室外機の制御装置１００、２００のマイクロコンピュータ１０１、２０１よりコンプレッサ動作要求信号や室内・室外温度の信号を制御信号送信手段１０５、２０５より室内・室外シリアル通信制御線３００を利用して室内機あるいは室外機へ送信する。
【０００５】
その信号（コマンド）を室内機あるいは室外機の制御装置１００、２００の制御信号受信手段１０３、２０３が受信することにより、コマンド解析手段１０４、２０４がそれを解析し、解析したデータをマイクロコンピュータ１０１、２０１に入力し、マイクロコンピュータ１０１、２０１が空気調和動作のために必要な各データを空調制御手段１０２、２０２へ出力する。この一連の動作が成り立つことにより、空気調和機としての通常の動作（空気調和動作）が行われる。
【０００６】
室内機あるいは室外機の制御装置１００、２００の基板検査を行う場合には、検査専用信号受信手段１０６、２０６、検査専用信号送信手段１０７、２０７に検査専用制御線３０１、３０２によって検査機４００を繋ぎ、検査機４００より、検査モード切換コマンドを検査専用通信制御線３０１、３０２を利用して室内機あるいは室外機の制御装置１００、２００の検査専用信号受信手段１０６、２０６へ送信する。
【０００７】
このようにして送信した検査モード切換コマンドをマイクロコンピュータ１０１、２０１が検査専用信号受信手段１０６、２０６より入力することにより、通常モードから検査モードに切り換わる。検査モードへの切り換えが確立すると、このことを検査専用信号送信手段１０７、２０７より検査専用通信制御線３０１、３０２を利用して検査機４００へ通達する。
【０００８】
特開平５−２７３３０７号公報には、セパレート型空気調和機ではないが、この発明に関連する従来技術として、二つの集積回路を接続するためのシリアルインタフェースを、テストデータ（検査用データ）入出力用のインタフェースとして兼用することにより、テストデータ入出力専用のインタフェースを省略する技術が示されている。
【０００９】
【発明が解決しようとする課題】
従来のセパレート型空気調和機装置の制御装置は、以上のように構成されているため、制御基板の検査のためだけに、マイクロコンピュータに対し検査用ポートを専用に設けなければならない。
【００１０】
このため、マイクロコンピュータの仕様上、マイクロコンピュータに検査用ポートの割り付けができない場合には、室内機や室外機に制御基板を組み込んだ状態で、その制御基板の検査をすることができないか、あるいはマイクロコンピュータのポートと各センサ、各アクチュエータの接続部の全てに検査ピンを設置したり、検査機側に全ての動作プログラムを組み込むなど、複雑な検査装置を作らなければならない。
【００１１】
またマイクロコンピュータに検査用ポートを専用に設けることができても、検査専用の信号送受信手段、通信制御線が必要であるため、構成が複雑になる。
【００１２】
また特開平５−２７３３０７号公報に示されている技術では、ＩＣチップ間の接続状態しか検査することができない。
【００１３】
この発明は、上述のような課題を解消するためになされたもので、セパレート型空気調和機の制御装置の基板検査が、検査用ポートや検査専用信号送受信手段などを必要とすることなく、簡便に、しかも信頼性よく行われ得るように改良されたセパレート型空気調和機の制御装置の制御基板検査システムを得ることを目的としている。
【００１４】
【課題を解決するための手段】
上述の目的を達成するために、この発明によるセパレート型空気調和機の制御装置の制御基板検査システムは、マイクロコンピュータ、空調制御手段および制御信号送信・受信手段が実装された制御基板をそれぞれ有し、空調制御時は、前記制御信号送信・受信手段同士を室内・室外シリアル通信制御線によって接続することにより双方向通信を行なう室内機の制御装置および室外機の制御装置と、前記制御基板の検査時には、前記室内・室外シリアル通信制御線によって前記室内機の制御装置および室外機の制御装置のうちの何れかの制御信号送信・受信手段に接続され、前記室内・室外シリアル通信制御線を介して前記マイクロコンピュータの制御モードを切換える検査モード切換コマンドと前記マイクロコンピュータに前記制御基板を検査させるための基板検査コマンドとを出力する検査機と、を備え、前記マイクロコンピュータは、受信したコマンドが前記検査モード切換コマンドであるか否かを判別し、検査モード切換コマンドであれば、前記マイクロコンピュータを検査モードとし、前記基板検査コマンドを受信することにより、前記マイクロコンピュータに前記制御基板の検査動作をさせ、該検査動作後に前記制御基板の検査結果を前記検査機へ送信する基板検査手段を備えることを特徴とするものである。
【００１５】
この発明によるセパレート型空気調和機の制御装置の制御基板検査システムでは、制御信号送信・受信手段が検査機よりの検査モード切換コマンドを受信することにより検査モードになり、検査結果を制御信号送信・受信手段より検査機へ送信する。
【００１６】
つぎの発明によるセパレート型空気調和機の制御装置の制御基板検査システムは、マイクロコンピュータ、該マイクロコンピュータを空調制御モードから検査モードに切換えるモード切換手段、空調制御手段および制御信号送信・受信手段が実装された制御基板をそれぞれ有し、空調制御時は、前記制御信号送信・受信手段同士を室内・室外シリアル通信制御線によって接続することにより双方向通信を行なう室内機の制御装置および室外機の制御装置と、前記制御基板の検査時には、前記室内・室外シリアル通信制御線によって前記室内機の制御装置および室外機の制御装置のうちの何れかの制御信号送信・受信手段に接続され、前記室内・室外シリアル通信制御線を介して前記マイクロコンピュータに前記制御基板を検査させるための基板検査コマンドを出力する検査機と、を備え、前記マイクロコンピュータは、前記モード切換手段からの信号によって前記マイクロコンピュータを検査モードとし、前記基板検査コマンドを受信することにより、前記マイクロコンピュータに前記制御基板の検査動作をさせ、該検査動作後に前記制御基板の検査結果を前記検査機へ送信する基板検査手段を備えることを特徴とするものである。
【００１７】
この発明によるセパレート型空気調和機の制御装置の制御基板検査システムでは、モード切換手段からの信号によって制御装置が検査モードになり、検査結果を制御信号送信・受信手段より検査機へ送信する。
【００３８】
【発明の実施の形態】
（実施の形態１）
図１はこの発明によるセパレート型空気調和機の制御装置の実施の形態１を示している。図１において、１０は室内機あるいは室外機の制御装置（以下、これを空調機の制御装置と略称することがある）を、５０は検査機を各々示している。
【００３９】
空調機の制御装置１０は、マイクロコンピュータ１１と、マイクロコンピュータ１１に接続された空調制御手段１２と、制御信号受信手段１３と、マイクロコンピュータ１１に接続されて制御信号受信手段１３より制御信号を入力するコマンド解析手段１４と、マイクロコンピュータ１１に接続された制御信号送信手段１５とを具備し、通常動作時には、制御信号受信手段１３、制御信号送信手段１５に室内・室外シリアル通信制御線３０によって図示されていない室内機あるいは室外機の制御装置と双方向に通信可能に接続される。
【００４０】
図１は検査時の状態を示しており、検査時には、空調機の制御装置１０の制御信号受信手段１３と制御信号送信手段１５に、室内機あるいは室外機の制御装置に代えて、室内・室外シリアル通信制御線３０によって検査機５０が双方向に通信可能に接続される。
【００４１】
検査機５０を接続された検査時には、空調機の制御装置１０は、検査機５０よりの検査モード切換コマンドを室内・室外シリアル通信制御線３０を利用して制御信号受信手段１３により受信し、コマンド解析手段１４によってコマンドを解析し、解析結果をマイクロコンピュータ１１に入力する。
【００４２】
マイクロコンピュータ１１は、コマンド解析手段１４によって解析された検査モード切換コマンドによって検査モードになり、検査モードになることによって空調制御手段１２に対する通常のコマンド出力動作を停止する。またこれと同時にマイクロコンピュータ１１から制御信号送信手段１５へ検査モード動作確立信号を出力し、この信号を室内・室外シリアル通信制御線３０を使用して検査機５０へ送信する。
【００４３】
即ち、マイクロコンピュータ１１は、制御信号受信手段１３が受信した入力コマンドが検査モード切換コマンドであるか否かを判別し、その入力コマンドが検査モード切換コマンドであることにより、検査モードになる。
【００４４】
検査モードでは、検査機５０より検査コマンドを室内・室外シリアル通信制御線３０を利用して空調機の制御装置１０の制御信号受信手段１３へ送信する。
【００４５】
また検査モードでは、マイクロコンピュータ１１は、検査結果を制御信号送信手段１５へ出力し、制御信号送信手段１５よりその検査結果を室内・室外シリアル通信制御線３０を利用して検査機５０へ送信する。
【００４６】
図２は実施の形態１における空調機の制御装置の動作フローを示している。室内・室外シリアル通信制御線３０を利用して制御信号受信手段１３が制御信号（コマンド）を受信すると、この制御信号はコマンド解析手段１４へ送られ（ステップＳ１０）、マイクロコンピュータ１１はコマンド解析手段１４によって解析された制御信号が検査機５０からの検査モード切換コマンドであるか否かを判別する（ステップＳ１１）。
【００４７】
検査モード切換コマンドでなければ（ステップＳ１１否定）、通常の空調制御を継続する（ステップＳ１２）。これに対し、検査モード切換コマンドであれば（ステップＳ１１肯定）、検査モードとなり、ステップＳ１３へ進む。
【００４８】
この検査モード切換コマンドの詳細は、室内機、室外機の制御装置から、あるいは検査機５０から送られてくる制御信号が、「０１１０１１０１１０１」のような、２進数であるとすると、例えば、最下位ビットが「０」の場合には通常の空調制御モードとなり、「１」の場合には検査モードになる。したがって最下位ビットが０→１に変更された場合、検査モードになる方式である。
【００４９】
検査モードになると、検査機５０より室内・室外シリアル通信制御線３０を利用して制御信号受信手段１３へ送信される次の制御信号（基板検査コマンド）を制御信号受信手段１３によって受信し（ステップＳ１３）、これをコマンド解析手段１４が解析することにより（ステップＳ１４）、マイクロコンピュータ１１が制御基板の検査動作に入る（ステップＳ１５）。
【００５０】
検査動作後に、マイクロコンピュータ１１から制御基板の検査結果を制御信号送信手段１５へ出力することにより（ステップＳ１６）、この検査結果が室内・室外シリアル通信制御線３０を利用して検査機５０へ送信される。
【００５１】
なお、この空調機の制御装置１０では、検査機５０より検査モード終了のコマンドが送信されてきた場合でも、検査モードのままで、次の信号が送信されてくるまで待機状態になり、検査モードはパワーオン・リセットまで続けられる。
【００５２】
以上のように、この発明によるセパレート型空気調和機（空調機）の制御装置１０では、マイクロコンピュータ１１に検査用として専用ポートを設ける必要がなくなり、マイクロコンピュータ１１の容量サイズ・単価等が決まっている場合、シリアル通信回路を利用して基板検査をすることにより、マイクロコンピュータ１１の容量の自由度が増し、マイクロコンピュータ１１の選択難易度を軽減することができる。
【００５３】
またマイクロコンピュータ１１の空きポートを利用して付加価値を設けることが可能となり、マイクロコンピュータ１１を有効に使用することができるようになる。この付加価値とは、マイクロコンピュータに空きポート・空き容量ができることにより、空気調和機の制御を、より高度にするために、特別な仕様を付け加えることができることである。
【００５４】
また室内・室外シリアル通信制御線３０を、空調制御情報の通信だけでなく、検査時にも利用するため、空調機の制御装置１０に接続される検査用通信制御線や検査専用信号送受信手段などを省略できることから、構成が簡単になり、安価な制御基板を作ることができるようになる。
【００５５】
また従来は、空調機の制御装置の制御基板に検査機専用の端子を設けたり、専用接続線を設けなければならなかったが、この発明による空調機の制御装置１０では、セパレート型空気調和機において必須の室内・室外シリアル通信制御線３０を用いて基板検査を行うから、空気調和機の設置後も制御基板に専用接続線を追加することなく基板検査を容易に行えるようになる。
【００５６】
また従来は、空調機の制御装置と検査機とを接続し、空調機の制御装置を検査モードにしてから、検査機を検査モードにして通信を行い、制御装置の制御基板の検査を行っていたが、この発明による空調機の制御装置１０では、検査機５０をシリアル通信回路に接続し、検査機５０より空調機の制御装置１０に対して検査コマンドを送るだけで、空調機の制御装置１０を検査モードにしてその制御装置の基板検査を行うことができる。このように、この発明による空調機の制御装置１０では、空調機の制御装置１０と検査機５０の両方を操作して検査モードにする必要がなくなるため、検査時間を短縮することができる。
【００５７】
（実施の形態２）
図３はこの発明によるセパレート型空気調和機の制御装置の実施の形態２を示している。尚、図３に於いて、図１に対応する部分は図１に付した符号と同一の符号を付けてその説明を省略する。
【００５８】
実施の形態２では、空調機の制御装置１０のマイクロコンピュータ１１に検査モード切換スイッチ１６が接続されており、マイクロコンピュータ１１はこの検査モード切換スイッチ１６がオン状態になることによって検査モードになる。
【００５９】
この実施の形態でも、検査時には、空調機の制御装置１０の制御信号受信手段１３、制御信号送信手段１５に、室内機あるいは室外機の制御装置に代えて、室内・室外シリアル通信制御線３０によって検査機５０が双方向に通信可能に接続される。
【００６０】
検査モード切換スイッチ１６は、手操作でオンするようなものではなく、室内・室外シリアル通信制御線３０によって検査機５０が空調機の制御装置１０の制御信号受信手段１３、制御信号送信手段１５に通信可能に接続されることにより、マイクロコンピュータ１１のポートの検査モード切り換えがＬｏになり、あたかもオンしたようになるスイッチである。
【００６１】
マイクロコンピュータ１１は、検査モードでは、空調制御手段１２に対する通常のコマンド出力動作を停止し、検査モードになると同時に制御信号送信手段１５へ検査モード動作確立信号を出力し、この信号を室内・室外シリアル通信制御線３０を使用して検査機５０へ送信する。
【００６２】
また検査モードでは、検査機５０より検査コマンドを室内・室外シリアル通信制御線３０を利用して空調機の制御装置１０の制御信号受信手段１３へ送信する。
【００６３】
制御信号受信手段１３が受信した検査コマンドはコマンド解析手段１４へ送信され、コマンド解析手段１４がコマンドの解析を行い、解析結果をマイクロコンピュータ１１に入力する。これによりマイクロコンピュータ１１は制御基板の検査動作を行う。検査動作後、マイクロコンピュータ１１は制御信号送信手段１５より室内・室外シリアル通信制御線３０を使用して制御基板の検査結果を検査機５０へ出力する。
【００６４】
図４は実施の形態２における空調機の制御装置の動作フローを示している。まず、検査モード切換スイッチ１６がオンであるか否かを判別する（ステップＳ２０）。検査モード切換スイッチ１６がオンでなければ（ステップＳ２０否定）、通常の空調制御を継続とする（ステップＳ２１）。
【００６５】
これに対し、検査モード切換スイッチ１６がオンであれば（ステップＳ２０肯定）、マイクロコンピュータ１１は検査モードになる。この検査切換スイッチ１６は、検査機５０が室内・室外シリアル通信制御線３０によって空調機の制御装置１０の制御信号受信手段１３、制御信号送信手段１５に接続されるだけでオンになり、特別なスイッチ操作を必要としない。
【００６６】
検査モードになった場合には、検査機５０より室内・室外シリアル通信制御線３０を利用して送られてくる検査コマンドを空調機の制御装置１０の制御信号受信手段１３で受信する（ステップＳ２２）。制御信号受信手段１３が受信した検査コマンドをコマンド解析手段１４によって解析し（ステップＳ２３）、この解析結果をマイクロコンピュータ１１に入力することにより、マイクロコンピュータ１１が制御基板の検査動作に入る（ステップＳ２４）。
【００６７】
検査動作後に、マイクロコンピュータ１１から制御基板の検査結果を制御信号送信手段１５へ出力することにより（ステップＳ２５）、この検査結果が室内・室外シリアル通信制御線３０を利用して検査機５０へ送信される。
【００６８】
なお、この動作はパワーオン・リセットまで続けられ、検査動作中・待機中に検査モード切換スイッチ１６がオフになった場合でも、空調機の制御装置１０は検査モードを継続する。但し、検査モード切換スイッチ１６がオフすると云うことは、検査機５０が空調機の制御装置１０から取り外された場合であり、この場合には、制御装置１０に検査機５０が接続されていないから、検査は行えないが、空調機の制御装置１０は検査モードのままである。
【００６９】
以上のように、この発明によれば、空調機の制御装置１０のマイクロコンピュータ１１に検査用の専用ポートを設ける必要がなくなり、マイクロコンピュータ１１の選択の制約を軽減することができ、また検査機５０を空調機の制御装置１０に接続するだけで検査モードにすることができるため、検査モードに設定する時間を削除・短縮することができる。
【００７０】
またこの発明でも、マイクロコンピュータ１１の空きポートを利用して付加価値を設けることが可能となり、マイクロコンピュータ１１を有効に使用することができ、また室内・室外シリアル通信制御線３０を、空調制御情報の通信だけでなく、検査時にも利用するから、空調機の制御装置に接続される検査用通信制御線や検査専用信号送受信手段などを省略でき、このことから構成簡単にして安価の制御基板を作ることができるようになる。
【００７１】
またセパレート型空気調和機において必須の室内・室外シリアル通信制御線３０を用いて基板検査を行うから、空気調和機の設置後も制御基板に専用接続線を追加することなく基板検査を行うことができる。
【００７２】
（実施の形態３）
図５はこの発明によるセパレート型空気調和機の制御装置の実施の形態３を示している。尚、図５に於いても、図１に対応する部分は図１に付した符号と同一の符号を付けてその説明を省略する。
【００７３】
実施の形態３では、空調機の制御装置１０は、マイクロコンピュータ１１、空調制御手段１２、制御信号受信手段１３、コマンド解析手段１４、制御信号送信手段１５に加えて、マイクロコンピュータ１１に接続されたワイヤレスリモコン信号用コマンド解析手段１７と、ワイヤレスリモコン信号用コマンド解析手段１７に接続されたワイヤレスリモコン信号受信手段１８とを有している。
【００７４】
ワイヤレスリモコン信号用コマンド解析手段１７はワイヤレスリモコン信号受信手段１８がワイヤレスリモコン１９より受信したワイヤレスリモコン信号を解析し、マイクロコンピュータ１１は、その解析結果を入力して受信したワイヤレスリモコン信号が検査モード切換コマンドであるか否かを判別し、そのワイヤレスリモコン信号が検査モード切換コマンドであれば、検査モードになる。
【００７５】
この実施の形態でも、検査時には、空調機の制御装置１０の制御信号受信手段１３、制御信号送信手段１５に、室内機あるいは室外機の制御装置に代えて、室内・室外シリアル通信制御線３０によって検査機５０が双方向に通信可能に接続される。
【００７６】
検査モード切換コマンドを送信するワイヤレスリモコン１９は、通常使用される空気調和機用のものであり、例えば、ワイヤレスリモコン１９の「暑いとき」の釦を押しながらワイヤレスリモコン１９の電池を抜き、再びセットあるいはリセットを行った場合に検査モード切換コマンドの送信となる。
【００７７】
空調機の制御装置１０のワイヤレスリモコン信号受信手段１８が検査モード切換コマンドを受信すると、このコマンドをワイヤレスリモコン信号用コマンド解析手段１７が解析し、解析結果をマイクロコンピュータ１１に入力することにより、マイクロコンピュータ１１、換言すれば空調機の制御装置１０が検査モードになる。
【００７８】
マイクロコンピュータ１１は、検査モードでは、空調制御手段１２に対する通常のコマンド出力動作を停止し、検査モードになると同時に制御信号送信手段１５へ検査モード動作確立信号を出力し、この信号を室内・室外シリアル通信制御線３０を使用して検査機５０へ送信する。
【００７９】
検査モードでは、検査機５０より検査コマンドを室内・室外シリアル通信制御線３０を利用して空調機の制御装置１０の制御信号受信手段１３へ送信する。検査コマンドを受信した制御信号受信手段１３はそのコマンドをコマンド解析手段１４へ送信し、コマンド解析手段１４がコマンドの解析を行い、その解析結果をマイクロコンピュータ１１に入力する。これによりマイクロコンピュータ１１は制御基板の検査動作を行う。検査動作後、マイクロコンピュータ１１は、制御信号送信手段１５より室内・室外シリアル通信制御線３０を利用して、制御基板の検査結果を検査機５０へ送信する。
【００８０】
図６は実施の形態３における空調機の制御装置の動作フローを示している。ワイヤレスリモコン１９より送信されたワイヤレスリモコン信号をワイヤレスリモコン信号受信手段１７が受信すると（ステップＳ３０）、それをワイヤレスリモコン信号用コマンド解析手段１８が解析する。マイクロコンピュータ１１はワイヤレスリモコン信号用コマンド解析手段１８により解析されたワイヤレスリモコン信号がワイヤレスリモコン１９からの検査モード切換コマンドであるか否かを判別する（ステップＳ３１）。
【００８１】
検査モード切換コマンドでなければ（ステップＳ３１否定）、通常の空調制御を継続する（ステップＳ３２）。これに対し、検査モード切換コマンドであれば（ステップＳ３１肯定）、検査モードとなり、検査モードでは、検査機５０より室内・室外シリアル通信制御線３０を利用して制御信号受信手段１３へ送信される制御信号を制御信号受信手段１３によって受信し（ステップＳ３３）、これをコマンド解析手段１４が解析することにより（ステップＳ３４）、マイクロコンピュータ１１が制御基板の検査動作に入る（ステップＳ３５）。
【００８２】
検査動作後に、マイクロコンピュータ１１から制御基板の検査結果を制御信号送信手段１５へ出力することにより（ステップＳ３６）、この検査結果が室内・室外シリアル通信制御線３０を利用して検査機５０へ送信される。
【００８３】
なお、この動作は、パワーオン・リセットまで続けられ、検査動作中・待機中にワイヤレスリモコン１９から検査コマンド切換モード終了の信号が送信されても、空調機の制御装置１０は検査モードを継続する。
【００８４】
以上のように、この発明でも、空調機の制御装置１０のマイクロコンピュータ１１に検査用の専用ポートを設ける必要がなくなるから、マイクロコンピュータ１１の選択の制約を軽減することができ、またマイクロコンピュータ１１の空きポートを利用して付加価値を設けることが可能となり、マイクロコンピュータ１１を有効に使用することができるようになる。
【００８５】
また室内・室外シリアル通信制御線３０を、空調制御情報の通信だけでなく、検査時にも利用するから、空調機の制御装置に接続される検査用通信制御線や検査専用信号送受信手段などを省略でき、このことから構成を簡単にして安価な制御基板を作ることができるようになる。
【００８６】
またワイヤレスリモコン１９からの検査モード切換コマンド信号を受信してマイクロコンピュータ１１が検査モードに変更するため、空気調和機設置後も従来のように、空気調和機を分解して制御基板に検査用の専用接続線を追加したり、専用回路を接続することなく基板検査を行うことができるから、基板検査時に、誤って空調機の制御装置１０を壊す虞れがなくなる。
【００８７】
また、従来は、空気調和機を分解して制御基板に検査用の専用接続線の追加や、専用回路の接続を行って検査をしていたため、検査に時間を要していたが、この発明では、空気調和機の室内・室外シリアル通信制御線３０を接続する端子台から検査機５０を接続し、ワイヤレスリモコン１９から検査モード切換コマンドを送信するだけで、検査モード切り換えを行うことができるから、検査時間を大幅に短縮できるメリットがある。
【００８８】
（実施の形態４）
図７はこの発明によるセパレート型空気調和機の制御装置の実施の形態４を示している。尚、図７に於いても、図１に対応する部分は図１に付した符号と同一の符号を付けてその説明を省略する。なお、１１ａはデータ入力回路である。
【００８９】
この実施の形態では、マイクロコンピュータ１１に、圧縮機電流計２０、温度センサ２１、２２などの入力機器が接続され、マイクロコンピュータ１１はこれらより検出信号を入力する。
【００９０】
この実施の形態においても、検査時には、図７に示されているように、空調機の制御装置１０の制御信号受信手段１３、制御信号送信手段１５に、室内機あるいは室外機の制御装置に代えて、室内・室外シリアル通信制御線３０によって検査機５０が双方向に通信可能に接続される。
【００９１】
検査機５０を接続された検査時には、空調機の制御装置１０は、検査機５０よりの入力チェック検査コマンドを室内・室外シリアル通信制御線３０を利用して制御信号受信手段１３に受信し、コマンド解析手段１４によってコマンドを解析し、解析結果をマイクロコンピュータ１１に入力する。
【００９２】
マイクロコンピュータ１１は、コマンド解析手段１４によって解析された入力チェック検査コマンドによって検査モードになり、検査モードになることによって通常のコマンド出力動作を停止する。またこれと同時にマイクロコンピュータ１１から制御信号送信手段１５へ検査モード動作確立信号を出力し、この信号を室内・室外シリアル通信制御線３０を使用して検査機５０へ送信する。
【００９３】
マイクロコンピュータ１１は、通常のコマンド出力動作を停止した時点で、通常、制御基板に入力される圧縮機電流計２０、温度センサ２１、２２よりの圧縮機電流、温度の検出信号など、空調機の制御装置１０のマイクロコンピュータ１１に入力される情報である入力データおよびそれの入力回路の検査を行う。
【００９４】
入力チェック検査コマンドの内容決定は、例えば検査機５０から送信する２進数のデータ「０１００１１０００」を、最上位ビットが０で入力チェック検査コマンド、最下位ビットから３ビット目を０→１に変更して空調機の制御装置１０に送信すると、温度センサ２２の入力データの制御回路を検査すると云うように行われ、検査機５０から送信する検査コマンドの２進数データを変更することにより、入力チェック内容を変更して各入力データおよびデータ入力回路の検査を行うことができる。
【００９５】
またこの検査モードでは、マイクロコンピュータ１１は、入力チェックの検査結果を制御信号送信手段１５へ出力し、制御信号送信手段１５より、その検査結果を室内・室外シリアル通信制御線３０を利用して検査機５０へ送信する。
【００９６】
図８は実施の形態４における空調機の制御装置の動作フローを示している。室内・室外シリアル通信制御線３０を利用して制御信号受信手段１３が制御信号（コマンド）を受信すると（ステップＳ４０）、この制御信号はコマンド解析手段１４へ送られ、マイクロコンピュータ１１はコマンド解析手段１４により解析された制御信号が検査機５０からの入力チェック検査コマンドであるか否かを判別する（ステップＳ４１）。
【００９７】
入力チェック検査コマンドでなければ（ステップＳ４１否定）、通常の空調制御を継続する（ステップＳ４２）。これに対し、入力チェック検査コマンドであれば（ステップＳ４１肯定）、検査モードとなり、ステップＳ４３へ進む。
【００９８】
検査モードになると、検査機５０より室内・室外シリアル通信制御線３０を利用して制御信号受信手段１３へ送信される次の制御信号（検査コマンド）を制御信号受信手段１３によって受信し（ステップＳ４３）、これをコマンド解析手段１４が解析することにより（ステップＳ４４）、マイクロコンピュータ１１が入力ポートに入力するデータの検査と、入力データおよびデータ入力回路を構成する基板パターンの断線、シュートなどの検査を行う（ステップＳ４５）。
【００９９】
但し、検査機５０からの入力チェック検査コマンドにより、圧縮機電流、温度など、検査対象になる入力データおよびデータ入力回路が異なる。入力チェック検査コマンドは、１回路づつのチェックとし、その都度、検査機５０が１回路づつの入力チェック検査コマンドを出力する。なお、全入力回路を同時にチェックするコマンドを検査機５０が出力するように構成することも可能である。
【０１００】
検査動作後に、マイクロコンピュータ１１から入力データおよびデータ入力回路の検査結果を制御信号送信手段１５へ出力することにより（ステップＳ４６）、この検査結果が室内・室外シリアル通信制御線３０を利用して検査機５０へ送信される。
【０１０１】
この場合も、空調機の制御装置１０では、検査機５０より検査モード終了のコマンドが送信されてきた場合でも、検査モードのままであり、次の信号が送信されてくるまで待機状態になり、この検査モードはパワーオン・リセットまで続けられる。
【０１０２】
なお、この場合も、検査モードの設定は、制御信号受信手段１３が入力チェック検査コマンドを受信すること以外に、実施の形態２におけるように、検査モード切換スイッチによって行われても、あるいは実施の形態３におけるように、ワイヤレスリモコン信号受信手段がワイヤレスリモコンより受信するモード切換信号により行われてもよい。
【０１０３】
以上のように、この発明によれば、空調機の制御装置１０の検査時に入力データおよびデータ入力回路のチェックができ、故障個所の発見が迅速が行われるようになるから、検査時間を短縮することができる。
【０１０４】
また、この発明でも、室内・室外シリアル通信制御線３０を空調制御情報の通信だけでなく、検査時にも使用するため、検査用通信制御線や検査専用信号送受信手段等を削除でき、このことから構成が簡単になり、安価な制御基板を作ることができる。また空気調和機を設置する時に必ず使用される室内・室外シリアル通信制御線３０を用いて入力チェック検査を行うから、空気調和機設置後も制御基板に専用接続線を追加する等の手を加えることなく入力チェック検査を簡単に行えると云うメリットがある。
【０１０５】
（実施の形態５）
図９はこの発明によるセパレート型空気調和機の制御装置の実施の形態５を示している。尚、図９に於いても、図１に対応する部分は図１に付した符号と同一の符号を付けてその説明を省略する。なお、１１ｂはデータ出力回路である。
【０１０６】
この実施の形態では、マイクロコンピュータ１１に、ファン２３、圧縮機２４、表示器２５などの出力機器が接続され、マイクロコンピュータ１１はこれらへ出力コマンドを出力する。
【０１０７】
この実施の形態においても、検査時には、図９に示されているように、空調機の制御装置１０の制御信号受信手段１３、制御信号送信手段１５に、室内機あるいは室外機の制御装置に代えて、室内・室外シリアル通信制御線３０によって検査機５０が双方向に通信可能に接続される。
【０１０８】
検査機５０を接続された検査時には、空調機の制御装置１０は、検査機５０よりの出力チェック検査コマンドを室内・室外シリアル通信制御線３０を利用して制御信号受信手段１３に受信し、コマンド解析手段１４によってコマンドを解析し、解析結果をマイクロコンピュータ１１に入力する。
【０１０９】
マイクロコンピュータ１１は、コマンド解析手段１４によって解析された出力チェック検査コマンドによって検査モードになり、検査モードになることによって通常のコマンド出力動作を停止する。またこれと同時にマイクロコンピュータ１１から制御信号送信手段１５へ検査モード動作確立信号を出力し、この信号を室内・室外シリアル通信制御線３０を使用して検査機５０へ送信する。
【０１１０】
マイクロコンピュータ１１は、通常のコマンド出力動作を停止した時点で、出力コマンドおよびそれの制御回路の検査を行う。出力コマンドとは、空調機の制御装置１０のマイクロコンピュータ１１から出力される情報であり、圧縮機２４のオン／オフ制御命令信号やファン２３のオン／オフ制御命令信号である。
【０１１１】
出力チェック検査コマンドの内容決定は、例えば検査機５０から送信する２進数のデータ「０１００１１０００」を、最上位ビットが１で出力チェック検査コマンドになり、下位ビットから３ビット目を０→１に変更して空調機の制御装置１０に送信すると、圧縮機２４のオン／オフ命令の制御回路を検査すると云うように行われ、検査機５０から送信する検査コマンドのデータを変更することにより、出力チェック内容を変更して各出力コマンドおよびコマンド出力回路を構成する基板パターンの断線、ショートなどの検査を行うことができる。
【０１１２】
またこの検査モードでは、マイクロコンピュータ１１は出力チェックの検査結果を制御信号送信手段１５へ出力し、制御信号送信手段１５よりその検査結果を室内・室外シリアル通信制御線３０を利用して検査機５０へ送信する。
【０１１３】
図１０は実施の形態５における空調機の制御装置の動作フローを示している。室内・室外シリアル通信制御線３０を利用して制御信号受信手段１３が制御信号（コマンド）を受信する（ステップＳ５０）と、この制御信号はコマンド解析手段１４へ送られ、マイクロコンピュータ１１はコマンド解析手段１４により解析された制御信号が検査機５０からの出力チェック検査コマンドであるか否かを判別する（ステップＳ５１）。
【０１１４】
出力チェック検査コマンドでなければ（ステップＳ５１否定）、通常の空調制御を継続する（ステップＳ５２）。これに対し、出力チェック検査コマンドであれば（ステップＳ５１肯定）、検査モードとなり、ステップＳ５３へ進む。
【０１１５】
検査モードになると、検査機５０より室内・室外シリアル通信制御線３０を利用して制御信号受信手段１３へ送信される次の制御信号（検査コマンド）を制御信号受信手段１３によって受信し（ステップＳ５３）、これをコマンド解析手段１４が解析することにより（ステップＳ５４）、マイクロコンピュータ１１が出力ポートから出力するコマンドの検査とコマンド出力回路の検査を行う（ステップＳ５５）。
【０１１６】
但し、検査機５０からの出力チェック検査コマンドにより、ファン２３、圧縮機２４、表示器２５など、検査対象になる出力コマンドおよびコマンド出力回路が異なる。出力チェック検査コマンドは、１回路づつのチェックとし、その都度、検査機５０が１回路づつ出力チェック検査コマンドを出力する。なお、全出力回路を同時にチェックするコマンドを検査機５０が出力するように構成することも可能である。
【０１１７】
検査動作後に、マイクロコンピュータ１１から出力コマンドおよびコマンド出力回路の検査結果を制御信号送信手段１５へ出力することにより（ステップＳ５６）、この検査結果が室内・室外シリアル通信制御線３０を利用して検査機５０へ送信される。
【０１１８】
この場合も、空調機の制御装置１０では、検査機５０より検査モード終了のコマンドが送信されてきた場合でも、検査モードのままであり、次の信号が送信されてくるまで待機状態になり、この検査モードはパワーオン・リセットまで続けられる。
【０１１９】
なお、この場合も、検査モードの設定は、制御信号受信手段１３が入力チェック検査コマンドを受信すること以外に、実施の形態２におけるように、検査モード切換スイッチによって行われても、あるいは実施の形態３におけるように、ワイヤレスリモコン信号受信手段がワイヤレスリモコンより受信するモード切換信号により行われてもよい。
【０１２０】
以上のように、この発明によれば、空調機の制御装置１０の検査時に出力コマンドおよびコマンド出力回路のチェックができ、故障個所の発見が迅速が行われるようになるから、検査時間を短縮することができる。
【０１２１】
また、この発明でも、室内・室外シリアル通信制御線３０を空調制御情報の通信だけでなく、検査時にも使用するため、検査用通信制御線や検査専用信号送受信手段等を削除でき、このことから構成が簡単になり、安価な制御基板を作ることができる。また空気調和機を設置する時に必ず使用される室内・室外シリアル通信制御線３０を用いて出力チェック検査を行うから、空気調和機設置後も制御基板に専用接続線を追加する等の手を加えることなく出力チェック検査を簡単に行えると云うメリットがある。
【０１２２】
（実施の形態６）
図１１はこの発明によるセパレート型空気調和機の制御装置の実施の形態６を示している。尚、図１１に於いても、図１に対応する部分は図１に付した符号と同一の符号を付けてその説明を省略する。なお、１１ｃはデータ出力回路であり、１１ｄはデータ入力回路である。
【０１２３】
この実施の形態では、マイクロコンピュータ１１に、圧縮機電流計２０、温度センサ２１、２２などの入力機器と、ファン２３、圧縮機２４、表示器２５などの出力機器とが接続され、マイクロコンピュータ１１は、入力機器より検出信号を入力し、出力機器へ出力コマンドを出力する。
【０１２４】
この実施の形態においても、検査時には、図１１に示されているように、空調機の制御装置１０の制御信号受信手段１３、制御信号送信手段１５に、室内機あるいは室外機の制御装置に代えて、室内・室外シリアル通信制御線３０によって検査機５０が双方向に通信可能に接続される。
【０１２５】
検査機５０を接続された検査時には、空調機の制御装置１０は、検査機５０よりの入出力チェック検査コマンドを室内・室外シリアル通信制御線３０を利用して制御信号受信手段１３に受信し、コマンド解析手段１４によってコマンドを解析し、解析結果をマイクロコンピュータ１１に入力する。
【０１２６】
マイクロコンピュータ１１は、コマンド解析手段１４によって解析された入出力チェック検査コマンドによって検査モードになり、検査モードになることによって通常のコマンド出力動作を停止する。またこれと同時にマイクロコンピュータ１１から制御信号送信手段１５へ検査モード動作確立信号を出力し、この信号を室内・室外シリアル通信制御線３０を使用して検査機５０へ送信する。
【０１２７】
マイクロコンピュータ１１は、通常のコマンド出力動作を停止した時点で、通常、制御基板に入力される圧縮機電流計２０、温度センサ２１、２２よりの圧縮機電流、温度の検出信号など、空調機の制御装置１０のマイクロコンピュータ１１に入力される情報である入力データおよびそれの制御回路の検査と、マイクロコンピュータ１１から出力される圧縮機２４のオン／オフ制御命令信号やファン２３のオン／オフ制御命令信号などの出力コマンドおよびそれの制御回路の検査を行う。
【０１２８】
またこの検査モードでは、マイクロコンピュータ１１は、入出力チェックの検査結果を制御信号送信手段１５へ出力し、制御信号送信手段１５よりその検査結果を室内・室外シリアル通信制御線３０を利用して検査機５０へ送信する。
【０１２９】
図１２は実施の形態６における空調機の制御装置の動作フローを示している。室内・室外シリアル通信制御線３０を利用して制御信号受信手段１３が制御信号（コマンド）を受信すると（ステップＳ６０）、この制御信号はコマンド解析手段１４へ送られ、マイクロコンピュータ１１はコマンド解析手段１４により解析された制御信号が検査機５０からの入出力チェック検査コマンドであるか否かを判別する（ステップＳ６１）。
【０１３０】
入出力チェック検査コマンドでなければ（ステップＳ６１否定）、通常の空調制御を継続する（ステップＳ６２）。これに対し、入出力チェック検査コマンドであれば（ステップＳ６１肯定）、検査モードとなり、ステップＳ６３へ進む。
【０１３１】
検査モードになると、検査機５０より室内・室外シリアル通信制御線３０を利用して制御信号受信手段１３へ送信される次の制御信号（検査コマンド）を制御信号受信手段１３によって受信し（ステップＳ６３）、これをコマンド解析手段１４が解析することにより（ステップＳ６４）、マイクロコンピュータ１１の入力ポートが入力するデータおよびデータ入力回路の検査を行い（ステップＳ６５）、またマイクロコンピュータ１１がマイクロコンピュータ１１の出力ポートから出力する出力コマンドおよびコマンド出力回路の検査を行う（ステップＳ６６）。
【０１３２】
但し、検査機５０からの入出力チェック検査コマンドにより、検査対象になる入力データおよびデータ入力回路、出力コマンドおよびコマンド出力回路が異なる。入出力チェック検査コマンドは、１回路づつのチェックとし、その都度、検査機５０が１回路づつの入出力チェック検査コマンドを出力する。なお、全ての入力回路と出力回路を同時にチェックするコマンドを検査機５０が出力するように構成することも可能である。
【０１３３】
検査動作後に、マイクロコンピュータ１１から入力データおよびデータ入力回路と、出力コマンドおよびコマンド出力回路の検査結果を制御信号送信手段１５へ出力することにより（ステップＳ６７）、この検査結果が室内・室外シリアル通信制御線３０を利用して検査機５０へ送信される。
【０１３４】
この場合も、空調機の制御装置１０では、検査機５０より検査モード終了のコマンドが送信されてきた場合でも、検査モードのままであり、次の信号が送信されてくるまで待機状態になり、この検査モードはパワーオン・リセットまで続けられる。
【０１３５】
なお、この場合も、検査モードの設定は、制御信号受信手段１３が入力チェック検査コマンドを受信すること以外に、実施の形態２におけるように、検査モード切換スイッチによって行われても、あるいは実施の形態３におけるように、ワイヤレスリモコン信号受信手段がワイヤレスリモコンより受信するモード切換信号により行われてもよい。
【０１３６】
以上のように、この発明によれば、空調機の制御装置１０の検査時に入力データおよびデータ入力回路と出力コマンドおよびコマンド出力回路のチェックができ、故障個所の発見が迅速が行われるようになるから、検査時間を短縮することができる。
【０１３７】
また、この発明でも、室内・室外シリアル通信制御線３０を空調制御情報の通信だけでなく、検査時にも使用するため、検査用通信制御線や検査専用信号送受信手段等を削除でき、このことから、構成が簡単になり、安価な制御基板を作ることができる。また空気調和機を設置する時に必ず使用される室内・室外シリアル通信制御線３０を用いて入力チェック検査と出力チェック検査を行うから、空気調和機設置後も制御基板に専用接続線を追加する等の手を加えることなく、入力チェック検査と出力チェック検査を両方同時に簡単に行えると云うメリットがある。
【０１３８】
（実施の形態７）
図１３はこの発明によるセパレート型空気調和機の制御装置の実施の形態７を示している。尚、図１３に於いても、図１に対応する部分は図１に付した符号と同一の符号を付けてその説明を省略する。
【０１３９】
この実施の形態では、マイクロコンピュータ１１には不揮発性メモリであるＥＥＰＲＯＭ２６が接続されている。
【０１４０】
この実施の形態においても、検査時には、図１３に示されているように、空調機の制御装置１０の制御信号受信手段１３、制御信号送信手段１５に、室内機あるいは室外機の制御装置に代えて、室内・室外シリアル通信制御線３０によって検査機５０が双方向に通信可能に接続される。
【０１４１】
検査機５０を接続された検査時には、空調機の制御装置１０は、検査機５０よりの検査コマンドを室内・室外シリアル通信制御線３０を利用して制御信号受信手段１３に受信し、コマンド解析手段１４によってコマンドを解析し、解析結果をマイクロコンピュータ１１に入力する。
【０１４２】
マイクロコンピュータ１１は、コマンド解析手段１４によって解析された入力検査コマンドによって検査モードになり、検査モードになることによって通常のコマンド出力動作を停止する。またこれと同時にマイクロコンピュータ１１から制御信号送信手段１５へ検査モード動作確立信号を出力し、この信号を室内・室外シリアル通信制御線３０を使用して検査機５０へ送信する。
【０１４３】
検査モードでは、検査機５０よりＥＥＰＲＯＭデータ読み出し検査コマンドを室内・室外シリアル通信制御線３０を利用して空調機の制御装置１０の制御信号受信手段１３へ送信する。ＥＥＰＲＯＭデータ読み出し検査コマンドは、例えば検査機５０から送信する２進数のデータ「００００１１０００」を、最上位ビットから２ビット目が０→１でＥＥＰＲＯＭデータ読み出しの検査コマンドになる。
【０１４４】
ＥＥＰＲＯＭ読み出し検査コマンドはコマンド解析手段１４で解析され、マイクロコンピュータ１１に入力され、マイクロコンピュータ１１は、コマンド解析手段１４により解析されたＥＥＰＲＯＭデータ読み出し検査コマンドによりＥＥＰＲＯＭデータ読み出しモードになり、ＥＥＰＲＯＭ２６からデータを読み出した後、これの検査結果を制御信号送信手段１５より室内・室外シリアル通信制御線３０を利用して検査機５０へ出力する。
【０１４５】
図１４は実施の形態７における空調機の制御装置の動作フローを示している。室内・室外シリアル通信制御線３０を利用して制御信号受信手段１３が制御信号（コマンド）を受信すると（ステップＳ７０）、この制御信号はコマンド解析手段１４へ送られ、マイクロコンピュータ１１はコマンド解析手段１４により解析された制御信号が検査機５０からのＥＥＰＲＯＭデータ読み出し検査コマンドであるか否かを判別する（ステップＳ７１）。
【０１４６】
ＥＥＰＲＯＭデータ読み出し検査コマンドでなければ（ステップＳ７１否定）、通常の空調制御を継続する（ステップ７２）。これに対し、ＥＥＰＲＯＭデータ読み出し検査コマンドであれば（ステップＳ７１肯定）、検査モードとなり、ステップＳ７３へ進む。
【０１４７】
検査モードになると、検査機５０より室内・室外シリアル通信制御線３０を利用して制御信号受信手段１３へ送信される次の制御信号（ＥＥＰＲＯＭデータ読み出し検査コマンド）を制御信号受信手段１３によって受信し（ステップＳ７３）、これをコマンド解析手段１４が解析することにより（ステップＳ７４）、マイクロコンピュータ１１がＥＥＰＲＯＭ２６に書き込まれているデータを読み出す（ステップＳ７５）。
【０１４８】
検査動作後に、マイクロコンピュータ１１からＥＥＰＲＯＭ２６の検査結果を制御信号送信手段１５へ出力することにより（ステップＳ７６）、この検査結果が室内・室外シリアル通信制御線３０を利用して検査機５０へ送信される。
【０１４９】
この場合も、空調機の制御装置１０では、検査機５０より検査モード終了のコマンドが送信されてきた場合でも、検査モードのままであり、次の信号が送信されてくるまで待機状態になり、検査モードはパワーオン・リセットまで続けられる。
【０１５０】
なお、この場合も、検査モードの設定は、制御信号受信手段１３が入力チェック検査コマンドを受信すること以外に、実施の形態２におけるように、検査モード切換スイッチによって行われても、あるいは実施の形態３におけるように、ワイヤレスリモコン信号受信手段がワイヤレスリモコンより受信するモード切換信号により行われてもよい。
【０１５１】
以上のように、この発明によれば、空調機の制御装置の検査時に、空調機の制御装置１０のＥＥＰＲＯＭ２６のデータを読み出してＥＥＰＲＯＭ２６に書き込まれているデータのチェックを行うことができ、ＥＥＰＲＯＭ２６のデータ書き込み不良個所の発見が迅速に行われるようになる。これにより空調機の制御装置の誤動作を防止でき、またメンテナンス時間を短縮できる。
【０１５２】
なお、ＥＥＰＲＯＭ２６に書き込まれているデータは、通常、初期不良を生じることはないが、雷や静電気等により書き込み中のデータや書き込まれているデータの１部、あるいは全てが破壊されてしまうことがある。
【０１５３】
また、この発明でも、室内・室外シリアル通信制御線３０を空調制御情報の通信だけでなく、検査時にも使用するため、検査用通信制御線や検査専用信号送受信手段等を削除でき、このことにより構成が簡単になり、安価な制御基板を作ることができる。また空気調和機を設置する時に必ず使用される室内・室外シリアル通信制御線３０を用いてＥＥＰＲＯＭデータ検査を行うから、空気調和機設置後も制御基板に専用接続線を追加する等の手を加えることなく、ＥＥＰＲＯＭ２６のデータを簡単にチェックできると云うメリットがある。
【０１５４】
（実施の形態８）
この実施の形態では、図１、図３、図５、図７、図８、図９、図１１、図１３に示されている空調機の制御装置１０において、検査結果を空調機の制御装置１０に接続された検査機５０へ送信すると共にマイクロコンピュータ１１のポートに出力する。この検査結果の制御信号送信手段１５に対する出力とマイクロコンピュータ１１のポートに対する出力は必ず同時に行われる。
【０１５５】
ここでの、検査内容には、制御基板以外に、実施の形態４〜７に示されているように、入力データおよびデータ入力回路、出力コマンドおよびコマンド出力回路、ＥＥＰＲＯＭデータなどがある。
【０１５６】
図１５は実施の形態８における空調機の制御装置の動作フローを示している。なお、図１５の動作フローにおいて図２の動作フローと異なっている所は、ステップＳ８６にて、検査結果を制御信号送信手段１５へ出力することに加えてマイクロコンピュータ１１のポートに出力することだけである。
【０１５７】
これによりマイクロコンピュータ１１のポートを当たれば、不良個所の確認ができる。
【０１５８】
以上のように、この発明によれば、マイクロコンピュータのポートを当たれば、不良個所の確認ができるから、検査機５０のモニタが故障しているような場合に空調機の制御装置全体が不良である云う誤判定が行われることが回避され、マイクロコンピュータのポートを当って不良個所を確認することで、応急処置対策になる。
【０１５９】
（実施の形態９）
この実施の形態では、図１、図７、図９、図１１、図１３に示されている空調機の制御装置１０において、検査機５０は検査モード終了コマンドを室内・室外シリアル通信制御線３０を利用して空調機の制御装置１０の制御信号受信手段１３へ送信する。
【０１６０】
空調機の制御装置１０は、制御信号受信手段１３によって検査モード終了コマンドを受信し、これをコマンド解析手段１４によって解析し、解析結果をマイクロコンピュータに送信する。マイクロコンピュータ１１は解析コマンド手段１４により解析された検査モード終了コマンドにより検査モードより抜け出して通常制御になる。
【０１６１】
実施の形態１では、空調機の制御装置１０が１度検査モードになると、元電源オフまで検査モード継続であったが、この実施の形態では、空調機の制御装置１０が検査モードになっても、検査機５０から検査モード終了コマンドを送信することにより検査モードが解除になり、通常の空調制御モードに戻る。
【０１６２】
図１６は実施の形態９における空調機の制御装置の動作フローを示している。室内・室外シリアル通信制御線３０を利用して制御信号受信手段１３が制御信号（コマンド）を受信すると（ステップＳ９０）、この制御信号はコマンド解析手段１４へ送られ、マイクロコンピュータ１１はコマンド解析手段１４により解析された制御信号が検査機５０からの検査モード切換コマンドであるか否かを判別する（ステップＳ９１）。
【０１６３】
検査モード切換コマンドでなければ（ステップＳ９１否定）、通常の空調制御を継続する（ステップＳ９２）。これに対し、検査モード切換コマンドであれば（ステップＳ９１肯定）、検査モードとなり、ステップＳ９３へ進む。
【０１６４】
検査モードになると、検査機５０より室内・室外シリアル通信制御線３０を利用して制御信号受信手段１３へ送信される次の制御信号を制御信号受信手段１３によって受信し（ステップＳ９３）、この制御信号が検査モード終了コマンドであるか否かを判別する（ステップＳ９４）。
【０１６５】
検査モード切換コマンドの詳細は、室内機、室外機の制御装置から、あるいは検査機５０から送られてくる制御信号が、「０１１０１１０１１０１」のような、２進数であるとすると、例えば、最下位ビットが「０」の場合には通常の空調制御モードとなり、「１」の場合には検査モードになるから、最下位ビットが０→１に変更された場合は検査モード切換コマンドになり、最下位ビット１→０に変更された場合は検査モード終了コマンドである。
【０１６６】
検査モード終了コマンドであれば（ステップＳ９４肯定）、検査モードを終了して通常の空調制御モードに戻る（ステップＳ９２）。このように、検査機５０から検査モード終了コマンドを送信することにより、このコマンドを空調機の制御装置１０が正常に受信して処理することができれば、空調機の制御装置１０は通常の空調制御モードに戻ることができる。
【０１６７】
検査モード終了コマンドでなければ（ステップＳ９４否定）、検査モードが継続になり、制御信号受信手段１３が受信した制御信号をコマンド解析手段１４が解析することにより（ステップＳ９５）、マイクロコンピュータ１１が制御基板などの検査動作に入る（ステップＳ９６）。
【０１６８】
検査動作後に、マイクロコンピュータ１１から制御基板の検査結果を制御信号送信手段１５へ出力することにより（ステップＳ９７）、この検査結果が室内・室外シリアル通信制御線３０を利用して検査機５０へ送信される。
【０１６９】
以上のように、この発明によれば、検査モードの終了を元電源をオフせずに、検査機５０より検査モード終了コマンド信号を送信するだけで、空調機の制御装置１０が通常の空調制御モードに戻るため、検査動作一連の時間を短縮でき、また空気調和機の制御装置１０と検査機５０の両方を操作して検査モードを設定したり、解除する必要がなくなることによっても検査時間を短縮できるようになる。
【０１７０】
また、この発明でも、室内・室外シリアル通信制御線３０を空調制御情報の通信だけでなく、検査時にも使用するため、検査用通信制御線や検査専用信号送受信手段等を削除でき、このことから構成が簡単になり、安価な制御基板を作ることができる。また空気調和機を設置する時に必ず使用される室内・室外シリアル通信制御線３０を用いて検査を行うから、空気調和機設置後も制御基板に専用接続線を追加する等の手を加えることなく各検査コマンドを実行することができる。
【０１７１】
（実施の形態１０）
この実施の形態では、図３に示されている空調機の制御装置１０において、検査モード切換スイッチ１６をオフすることにより、マイクロコンピュータ１１が検査モードを解除し、通常の空調制御モードに戻る。
【０１７２】
この検査モード切換スイッチ１６は手でオフするのではなく、検査機５０を空調機の制御装置１０から取り外すことにより、マイクロコンピュータ１１の検査モード切り換えポートがＨｉになり、あたかも検査モード切換スイッチがオフしたようになる。
【０１７３】
実施の形態２では、空調機の制御装置が１度検査モードになると、元電源オフまで検査モード継続であるが、この実施の形態では、検査モード切換スイッチ１６をオフすることにより、検査モードが解除になり、通常の空調制御モードに戻る。
【０１７４】
図１７は実施の形態１０における空調機の制御装置の動作フローを示している。まず、検査モード切換スイッチ１６がオンであるか否かを判別する（ステップＳ１００）。検査モード切換スイッチ１６がオンでなければ（ステップＳ１００否定）、通常の空調制御を継続する（ステップＳ１０１）。
【０１７５】
これに対し、検査モード切換スイッチ１６がオンであれば（ステップＳ１００肯定）、マイクロコンピュータ１１は検査モードになる。この検査切換スイッチ１６は、検査機５０が室内・室外シリアル通信制御線３０によって空調機の制御装置１０の制御信号受信手段１３、制御信号送信手段１５に接続されるだけでオンになる。
【０１７６】
検査モードになった場合には、検査機５０より室内・室外シリアル通信制御線３０を利用して送られてくる検査コマンドを空調機の制御装置１０の制御信号受信手段１３で受信する（ステップＳ１０２）。制御信号受信手段１３が受信した検査コマンドをコマンド解析手段１４によって解析し（ステップＳ１０３）、この解析結果をマイクロコンピュータ１１に入力することにより、マイクロコンピュータ１１が制御基板の検査動作に入る（ステップＳ１０４）。
【０１７７】
検査動作後に、マイクロコンピュータ１１から制御基板の検査結果を制御信号送信手段１５へ出力することにより（ステップＳ１０５）、この検査結果が室内・室外シリアル通信制御線３０を利用して検査機５０へ送信される。
【０１７８】
つぎに検査モード切換スイッチ１６がオフであるか否かを判別する（ステップＳ１０６）。検査モード切換スイッチ１６がオフでなければ（ステップＳ１０６否定）、検査モードを継続する。
【０１７９】
これに対し、検査機５０が空調機の制御装置１０から取り外されたことにより、検査モード切換スイッチ１６がオフであれば（ステップＳ１０６肯定）、検査モードを解除して、通常の空調制御モードに戻る（ステップＳ１０１）。
【０１８０】
以上のように、この発明によれば、検査モードの終了を元電源をオフせずに、検査モード切換スイッチをオフするだけで、実際には検査機５０を取り外すだけで、通常の空調制御モードに戻るため、検査動作一連の時間を短縮でき、また空気調和機の制御装置１０と検査機５０の両方を操作して検査モードを設定したり、解除する必要がなくなることによっても検査時間を短縮できるようになる。
【０１８１】
また、この発明でも、室内・室外シリアル通信制御線３０を空調制御情報の通信だけでなく検査時にも使用するため、空調機の制御装置１０に接続される検査用通信制御線や検査専用信号送受信手段等を削除でき、このことから構成が簡単になり、安価な制御基板を作ることができる。また空気調和機を設置する時に必ず使用される室内・室外シリアル通信制御線を用いて検査を行うから、空気調和機設置後も制御基板に専用接続線を追加する等の手を加えることなく、各検査コマンドを実行することができる。
【０１８２】
（実施の形態１１）
この実施の形態では、図５に示されている空調機の制御装置１０において、ワイヤレスリモコン１９は検査モード終了コマンドを空調機の制御装置１０のワイヤレスリモコン信号受信手段１８へ送信する。
【０１８３】
制御装置１０は、ワイヤレスリモコン信号受信手段１８によって検査モード終了コマンドを受信し、これをワイヤレスリモコン信号用コマンド解析手段１７によって解析し、解析結果をマイクロコンピュータ１１に送信する。マイクロコンピュータ１１はワイヤレスリモコン信号用コマンド解析手段１７により解析された検査モード終了コマンドにより検査モードより抜け出して通常制御になる。
【０１８４】
実施の形態３では、空調機の制御装置が１度検査モードになると、元電源オフまで検査モードの継続であったが、この実施の形態では、空調機の制御装置１０が検査モードになっても、ワイヤレスリモコン１９から検査モード終了コマンドを送信することにより検査モードが解除になり、通常の空調制御モードに戻る。
【０１８５】
例えば、ワイヤレスリモコン１９の「寒いとき」の釦を押しながら電池を抜き再びセットあるいはリセットを行った場合、検査モード終了コマンドの送信となる。
【０１８６】
図１８は実施の形態１１における空調機の制御装置の動作フローを示している。ワイヤレスリモコン１９より送信されたワイヤレスリモコン信号をワイヤレスリモコン信号受信手段１８によって受信し（ステップＳ１１０）、それをワイヤレスリモコン信号用コマンド解析手段１７によって解析し、マイクロコンピュータ１１はワイヤレスリモコン信号用コマンド解析手段１７により解析されたワイヤレスリモコン信号制御信号がワイヤレスリモコン１９からの検査モード切換コマンドであるか否かを判別する（ステップＳ１１１）。
【０１８７】
検査モード切換コマンドでなければ（ステップＳ１１１否定）、通常の空調制御を継続する（ステップＳ１１２）。これに対し、検査コマンドであれば（ステップＳ１１１肯定）、検査モードとなり、検査モードでは、検査機５０より室内・室外シリアル通信制御線３０を利用して制御信号受信手段１３へ送信される制御信号を制御信号受信手段１３によって受信し（ステップＳ１１３）、これをコマンド解析手段１４が解析することにより（ステップＳ１１４）、マイクロコンピュータ１１が制御基板の検査動作に入る（ステップＳ１１５）。
【０１８８】
検査動作後に、マイクロコンピュータ１１から制御基板の検査結果を制御信号送信手段１５へ出力することにより（ステップＳ１１６）、この検査結果が室内・室外シリアル通信制御線３０を利用して検査機５０へ送信される。
【０１８９】
つぎにワイヤレスリモコン信号受信手段１８がワイヤレスリモコン１９からの検査モード終了コマンドを受信したか否を判別する（ステップＳ１１７）。検査モード終了コマンドを受信していなければ（ステップＳ１１７否定）、検査モードを継続する。
【０１９０】
これに対し、検査モード終了コマンドを受信すれば（ステップＳ１１７肯定）、検査モードを解除して、通常の空調制御モードに戻る（ステップＳ１１２）。
【０１９１】
以上のように、この発明によれば、検査モードの終了を元電源オフせずに、ワイヤレスリモコン１９からの検査モード終了コマンドを送信して、空調機の制御装置１０が受信することにより、通常の空調制御モードに戻るため、検査動作一連の時間を短縮でき、また空気調和機の制御装置１０と検査機５０の両方を操作して検査モードを設定したり、解除する必要がなくなることによっても検査時間を短縮できるようになる。
【０１９２】
また、この発明でも、室内・室外シリアル通信制御線３０を空調制御情報の通信だけでなく検査時にも使用するため、空調機の制御装置に接続される検査用通信制御線や検査専用信号送受信手段等を削除でき、このことから構成が簡単になり、安価な制御基板を作ることができる。また空気調和機を設置する時に必ず使用される室内・室外シリアル通信制御線を用いて検査を行うから、空気調和機設置後も制御基板に専用接続線を追加する等の手を加えることなく、各検査コマンドを実行することができ、しかも、ワイヤレスリモコンからの基板検査モード信号を受信して、制御基板が検査モードに変更するため、空気調和機設置後も制御基板に専用接続線を追加する等の手を加えることなく、各センサ、アクチュエータの動作を簡単にチェックできると云うメリットがある。
【０１９３】
【発明の効果】
以上の説明より理解されるように、この発明によるセパレート型空気調和機の制御装置の制御基板検査システムにおいては、室内機と室外機とのシリアル通信回路を利用して基板検査を行うから、制御装置が含むマイクロコンピュータに検査用の専用ポートを設ける必要がなくなり、マイクロコンピュータ容量の自由度が増し、マイクロコンピュータの選択難易度を軽減することができ、またマイクロコンピュータの空きポートを利用して付加価値を設けることが可能となり、マイクロコンピュータを有効に使用することができるようになる。
【０１９４】
また、室内・室外シリアル通信制御線を、空調制御情報の通信だけでなく、検査時にも利用するため、空調機の制御装置に接続される検査用通信制御線や検査専用信号送受信手段などを省略できることから、構成が簡単になり、安価な制御基板を作ることができるようになり、しかも制御基板に検査機専用の端子を設けることも省略でき、セパレート型空気調和機において必須の室内・室外シリアル通信制御線を用いて検査を行うから、空気調和機の設置後も制御基板に専用接続線を追加することなく基板検査を行うことができるようになる。このことにより、検査に際して空気調和機を分解する必要がなくなり、検査時に誤って空調機の制御装置を壊す虞れがなくなる。
【０１９５】
また、検査機より空調機の制御装置に対して検査コマンドを送るだけで、空調機の制御装置を検査モードにして基板検査を行うことができるから、空調機の制御装置と検査機の両方を操作して検査モードにする必要がなくなり、検査時間を短縮することができる。
【０１９６】
つぎの発明によるセパレート型空気調和機の制御装置の制御基板検査システムにおいては、室内機と室外機とのシリアル通信回路を利用して基板検査を行うから、制御装置が含むマイクロコンピュータに検査用の専用ポートを設ける必要がなくなり、マイクロコンピュータ容量の自由度が増し、マイクロコンピュータの選択難易度を軽減することができ、またマイクロコンピュータの空きポートを利用して付加価値を設けることが可能となり、マイクロコンピュータを有効に使用することができるようになる。
【０１９７】
また、室内・室外シリアル通信制御線を、空調制御情報の通信だけでなく、検査時にも利用するため、空調機の制御装置に接続される検査用通信制御線や検査専用信号送受信手段などを省略できることから、構成が簡単になり、安価な制御基板を作ることができるようになる。
【０１９８】
また、モード切換手段からの信号によって、空調機の制御装置を検査モードにして基板検査を行うことができるから、空調機の制御装置と検査機の両方を操作して検査モードにする必要がなくなり、検査時間を短縮することができる。
【０１９９】
つぎの発明によるセパレート型空気調和機の制御装置の制御基板検査システムにおいては、空調機の制御装置に検査機を接続することによって検査モード切換スイッチが切り換わるから、空調機の制御装置に検査機を接続するだけで、空調機の制御装置が検査モードになり、検査時間を短縮することができる。
【０２０２】
つぎの発明によるセパレート型空気調和機の制御装置の制御基板検査システムにおいては、ワイヤレスリモコンから空調機の制御装置に対して検査コマンドを送るだけで、空調機の制御装置を検査モードにして基板検査を行うことができるから、空調機の制御装置と検査機の両方を操作して検査モードにする必要がなくなり、検査時間を短縮することができる。
【０２０３】
つぎの発明によるセパレート型空気調和機の制御装置の制御基板検査システムにおいては、上述の発明の効果に加えて、入力データおよびデータ入力回路の検査を行え、故障個所の発見が迅速に行われるようになるから、検査時間を短縮することができる。
【０２０４】
つぎの発明によるセパレート型空気調和機の制御装置の制御基板検査システムにおいては、上述の発明の効果に加えて、出力コマンドおよびコマンド出力回路の検査を行え、故障個所の発見が迅速が行われるようになるから、検査時間を短縮することができる。
【０２０５】
つぎの発明によるセパレート型空気調和機の制御装置の制御基板検査システムにおいては、上述の発明の効果に加えて、入力データおよびデータ入力回路と出力コマンドおよびコマンド出力回路の検査を同時に行え、故障個所の発見が迅速に行われるようになるから、検査時間を短縮することができる。
【０２０６】
つぎの発明によるセパレート型空気調和機の制御装置の制御基板検査システムにおいては、上述の発明の効果に加えて、ＥＥＰＲＯＭにような不揮発メモリのデータを読み出して不揮発メモリに書き込まれているデータのチェックを行うことができ、不揮発メモリのデータ書き込み不良個所の発見が迅速に行われるようになる。これにより空調機の制御装置の誤動作を防止でき、またメンテナンス時間を短縮できる。
【０２０７】
つぎの発明によるセパレート型空気調和機の制御装置の制御基板検査システムにおいては、上述の発明の効果に加えて、マイクロコンピュータのポートにも検査結果が出力されるから、マイクロコンピュータのポートを当たれば、不良個所の確認ができ、検査機のモニタが故障しているような場合に空調機の制御装置全体が不良であると云う誤判定が行われることを回避でき、マイクロコンピュータのポートを当って不良個所を確認することで、応急処置対策になる。
【０２０８】
つぎの発明によるセパレート型空気調和機の制御装置の制御基板検査システムにおいては、上述の発明の効果に加えて、検査機よりの検査モード終了コマンド信号を受信することによって検査モードを終了し、元電源オフを要することなく通常の空調制御モードに戻るから、一連の検査動作に要する時間を短縮できる。
【０２０９】
つぎの発明によるセパレート型空気調和機の制御装置の制御基板検査システムにおいては、上述の発明の効果に加えて、検査モード切換スイッチを切り換えることによって検査モードを終了し、元電源オフを要することなく通常の空調制御モードに戻るから、一連の検査動作に要する時間を短縮できる。
【０２１０】
つぎの発明によるセパレート型空気調和機の制御装置の制御基板検査システムにおいては、上述の発明の効果に加えて、ワイヤレスリモコンよりの検査モード終了コマンド信号を受信することによって検査モードを終了し、元電源オフを要することなく通常の空調制御モードに戻るから、一連の検査動作に要する時間を短縮できる。
【図面の簡単な説明】
【図１】  この発明によるセパレート型空気調和機の制御装置の実施の形態１と検査機とを示すブロック図である。
【図２】  実施の形態１におけるセパレート型空気調和機の制御装置の動作を示すフローチャートである。
【図３】  この発明によるセパレート型空気調和機の制御装置の実施の形態２と検査機とを示すブロック図である。
【図４】  実施の形態２におけるセパレート型空気調和機の制御装置の動作を示すフローチャートである。
【図５】  この発明によるセパレート型空気調和機の制御装置の実施の形態３と検査機とを示すブロック図である。
【図６】  実施の形態３におけるセパレート型空気調和機の制御装置の動作を示すフローチャートである。
【図７】  この発明によるセパレート型空気調和機の制御装置の実施の形態４と検査機とを示すブロック図である。
【図８】  実施の形態４におけるセパレート型空気調和機の制御装置の動作を示すフローチャートである。
【図９】  この発明によるセパレート型空気調和機の制御装置の実施の形態５と検査機とを示すブロック図である。
【図１０】  実施の形態５におけるセパレート型空気調和機の制御装置の動作を示すフローチャートである。
【図１１】  この発明によるセパレート型空気調和機の制御装置の実施の形態６と検査機とを示すブロック図である。
【図１２】  実施の形態６におけるセパレート型空気調和機の制御装置の動作を示すフローチャートである。
【図１３】  この発明によるセパレート型空気調和機の制御装置の実施の形態７と検査機とを示すブロック図である。
【図１４】  実施の形態７におけるセパレート型空気調和機の制御装置の動作を示すフローチャートである。
【図１５】  実施の形態８におけるセパレート型空気調和機の制御装置の動作を示すフローチャートである。
【図１６】  実施の形態９におけるセパレート型空気調和機の制御装置の動作を示すフローチャートである。
【図１７】  実施の形態１０におけるセパレート型空気調和機の制御装置の動作を示すフローチャートである。
【図１８】  実施の形態１１におけるセパレート型空気調和機の制御装置の動作を示すフローチャートである。
【図１９】  従来のセパレート型空気調和機の制御装置と検査機とを示すブロック図である。
【符号の説明】
１０  空調機の制御装置，１１  マイクロコンピュータ，１２  空調制御手段，１３  制御信号受信手段，１４  コマンド解析手段，１５  制御信号送信手段，１６  検査モード切換スイッチ，１７  ワイヤレスリモコン信号用コマンド解析手段，１８  ワイヤレスリモコン信号受信手段，１９  ワイヤレスリモコン，２０  圧縮機電流計，  ２１  温度センサ，２２  温度センサ，２３  ファン，２４  圧縮機，２５  表示器，  ２６  ＥＥＰＲＯＭ
【図１】
0003667844.tif 000002
【図２】
0003667844.tif 000003
【図３】
0003667844.tif 000004
【図４】
0003667844.tif 000005
【図５】
0003667844.tif 000006
【図６】
0003667844.tif 000007
【図７】
0003667844.tif 000008
【図８】
0003667844.tif 000009
【図９】
0003667844.tif 000010
【図１０】
0003667844.tif 000011
【図１１】
0003667844.tif 000012
【図１２】
0003667844.tif 000013
【図１３】
0003667844.tif 000014
【図１４】
0003667844.tif 000015
【図１５】
0003667844.tif 000016
【図１６】
0003667844.tif 000017
【図１７】
0003667844.tif 000018
【図１８】
0003667844.tif 000019
【図１９】
0003667844.tif 000020